(57)【要約】この発明は、基地局（１０１）及び該基地局（１０１）とデータを送受信する通信端末（１００）からなる通信システムにおいて、上記基地局（２００）は上記通信端末（３００）に対して下りパケットデータ及び受信した上記通信端末から上記下りパケットデータに関する情報信号（ＡＣＫ／ＮＡＣＫ，ＣＱＩ）を受信し、上記通信端末（３００）は上記基地局（２００）に対して上りデータ及び上記情報信号と同時に送信することを推定するオーバーフロー推定手段（Ｓ３０１〜Ｓ３０５）、このオーバーフロー推定手段の推定結果に応じて上記情報信号の送信を抑制する送信信号抑制手段（Ｓ３２５）を備える通信システムである。  したがって、通信端末（３００）の電力増幅部（３０５）で生じるオーバーフローを回避することによって、上り通信及び下り通信のいずれか一方の通信品質を選択的に高められる通信システムを提供することを目的にする。
2005015940.tif 000002
【特許請求の範囲】
【請求項１】
基地局に対して上りデータ及び上記基地局から受信した下りパケットデータに関する情報信号を同時に送信することを推定するオーバーフロー推定手段、
このオーバーフロー推定手段の推定結果に応じて上記情報信号の送信を抑制する送信信号抑制手段を備えることを特徴とする通信端末。
【請求項２】
上記送信信号抑制手段は、
上記情報信号の送信を中止することを特徴とする請求項１記載の通信端末。
【請求項３】
上記情報信号を送信しないＴＦＣＩを選択することによって、上記情報信号の送信を中止することを特徴とする請求項２記載の通信端末。
【請求項４】
上記情報信号を送信しないことを示す選択中のＴＦＣＩ信号を送信することによって、上り通信を優先していることを基地局に通知することを特徴とする請求項３記載の端末。
【請求項５】
上記送信信号抑制手段は、
上記情報信号の送信電力を抑制することを特徴とする請求項１記載の通信端末。
【請求項６】
低い送信レートで上記情報信号を送信するＴＦＣＩを選択することによって、上記上りデータの送信電力を抑制することを特徴とする請求項５記載の通信端末。
【請求項７】
上記情報信号を所定回数繰り返し送信することを基地局へ通知する通知手段を有し、
この通知手段の通知後に上記情報信号を繰り返し送信することを特徴とする請求項５記載の通信端末。
【請求項８】
上記通知手段は、
繰り返し送信することを示す情報が空き領域に組み込まれたＴＦＣＩ信号を送信することを特徴とする請求項７記載の通信端末。
【請求項９】
上記オーバーフロー推定手段の推定結果に基づいて、上記基地局に下りパケットデータの再送を停止させる再送停止信号を上記上りデータの送信前又は送信後に送信する再送停止信号送信手段を備えることを特徴とする請求項１記載の通信端末。
【請求項１０】
上記オーバーフロー推定手段の推定結果に基づいて、下りパケットデータの送信を抑制するように上記基地局に指令する指令信号を上記上りデータの送信前又は送信後に送信することを特徴とする請求項１記載の通信端末。
【請求項１１】
基地局に対して上りデータ及び通信品質信号を同時に送信することを推定するオーバーフロー推定手段、
このオーバーフロー推定手段の推定結果に応じて上記通信品質信号の送信を抑制する送信信号抑制手段を備えることを特徴とする通信端末。
【請求項１２】
上記送信信号抑制手段は、
上記通信品質信号の送信を中止することを特徴とする請求項１１記載の通信端末。
【請求項１３】
上記送信信号抑制手段は、
上記通信品質信号の送信電力を抑制することを特徴とする請求項１１記載の通信端末。
【請求項１４】
上記通信品質信号を所定回数繰り返し送信することを基地局へ通知する通知手段を有し、
この通知手段の通知後に上記情報信号を繰り返し送信することを特徴とする請求項１１記載の通信端末。
【請求項１５】
上記オーバーフロー推定手段の推定結果に基づいて、下りパケットデータの送信を抑制するように上記基地局に指令する指令信号を上記上りデータの送信前又は送信後に送信することを特徴とする請求項１１記載の通信端末。
【請求項１６】
基地局に対して上りデータ及び上記基地局から受信した下りパケットデータに関する情報信号を同時に送信することを推定するオーバーフロー推定手段、
このオーバーフロー推定手段の推定結果に応じて、上りデータの送信を抑制する送信信号抑制手段を備えることを特徴とする通信端末。
【請求項１７】
上記送信信号抑制手段は、
上記上りデータの送信電力を抑制することを特徴とする請求項１６記載の通信端末。
【請求項１８】
低い送信レートで上記上りデータを送信するＴＦＣＩを選択することによって、上記上りデータの送信電力を抑制することを特徴とする請求項１７記載の通信端末。
【請求項１９】
基地局に対して上りデータ及び上記基地局から受信した下りパケットデータに関する情報信号を同時に送信することを推定するオーバーフロー推定手段、
上記情報信号の送信を抑制する上り通信優先手段、
上記上りデータの送信を抑制する下り通信優先手段、
予め、上り通信または下り通信を優先することを示す優先度情報を記憶する記憶手段を備え、
上記オーバーフロー推定手段がオーバーフローを推定したとき、上記記憶手段に記憶された優先度情報に従って、上記上り通信優先手段又は下り通信優先手段を選択的に動作させる選択手段を備えることを特徴とする通信端末。
【請求項２０】
上記記憶手段に記憶している上記優先度情報は、ユーザの操作による入力信号で変更可能に構成されていることを特徴とする請求項１９記載の通信端末。
【請求項２１】
音声入力がされているか否かを検出する音声信号検出手段を備え、
この音声信号検出手段の検出結果に応じて、上記記憶装置に記憶している優先度情報を変更することを特徴とする請求項１９記載の通信端末。
【請求項２２】
基地局及び該基地局とデータを送受信する通信端末からなる通信システムにおいて、
上記基地局は、
上記通信端末に対して下りパケットデータを送信すると共に、上記下りパケットデータを受信した上記通信端末から上記下りパケットデータに関する情報信号を受信する送受信手段を有し、
上記通信端末は、
上記基地局に対して上りデータ及び上記情報信号を同時に送信することを推定するオーバーフロー推定手段、
このオーバーフロー推定手段の推定結果に応じて上記情報信号の送信を抑制する送信信号抑制手段を備えることを特徴とする通信システム。
【請求項２３】
基地局及び該基地局とデータを送受信する通信端末からなる通信システムにおいて、
上記基地局は、
上記通信端末に対して下りパケットデータを送信すると共に、上記下りパケットデータを受信した上記通信端末から上記下りパケットデータに関する情報信号を受信する送受信手段を有し、
上記通信端末は、
上記基地局に対して上りデータ及び上記情報信号を同時に送信することを推定するオーバーフロー推定手段、
このオーバーフロー推定手段の推定結果に応じて上りデータの送信を抑制する送信信号抑制手段を備えることを特徴とする通信システム。
【請求項２４】
基地局及び該基地局とデータを送受信する通信端末からなる通信システムにおいて、
上記基地局は、
上記通信端末から受信した、通信品質状態を示す通信品質信号に基づき、下り通信の通信方式を最適な通信方式に変更する通信方式変更手段を有し、
上記通信端末は、
上記基地局に対して上りデータ及び上記通信品質信号を同時に送信することを推定するオーバーフロー推定手段、
このオーバーフロー推定手段の推定結果に応じて上記通信品質信号の送信を抑制する送信信号抑制手段を備えることを特徴とする通信システム。
【請求項２５】
基地局及び該基地局とデータを送受信する通信端末からなる通信システムにおいて、
上記基地局は、
上記通信端末から受信した、通信品質状態を示す通信品質信号に基づき、下り通信の通信方式を最適な通信方式に変更する通信方式変更手段を有し、
上記通信端末は、
上記基地局に対して上りデータ及び上記通信品質信号と同時に送信することを推定するオーバーフロー推定手段、
このオーバーフロー推定手段の推定結果に応じて、上記上りデータの送信を抑制する送信信号抑制手段を備えることを特徴とする通信システム。
【請求項２６】
基地局及び該基地局とデータを送受信する通信端末からなる通信システムにおいて、
上記基地局は、
上記通信端末に対して下りパケットデータを送信すると共に、上記下りパケットデータを受信した上記通信端末から上記下りパケットデータに関する情報信号を受信する送受信手段を有し、
上記通信端末は、
上記基地局に対して上りデータ及び上記情報信号を同時に送信することを推定するオーバーフロー推定手段、
上記情報信号の送信を抑制する上り通信優先手段、
上記上りデータの送信を抑制する下り通信優先手段、
予め、上り通信または下り通信を優先することを定める優先度情報を記憶する記憶手段、
上記オーバーフロー推定手段がオーバーフローを推定したとき、上記記憶手段に記憶された優先度情報に従って、上記上り通信優先手段又は下り通信優先手段を選択的に動作させる選択手段を備えることを特徴とする通信システム。
【発明の詳細な説明】
【技術分野】  通信品質を改善した通信システムに関する。
従来技術
基地局から送信する下りパケットデータを受信した通信端末が、上記下りパケットデータに関する情報信号を送信する通信システムでは、端末で受信した下りパケットデータに関する信号の送信タイミングと、上りデータの送信タイミングとが重なる場合がある。
このような場合、下りパケットデータに関する情報信号の送信に必要な電力と、上りデータの送信に必要な電力との合計が、通信端末の電力増幅器の出力限界値を越えてしまう（以下、「オーバーフローが発生する」という）ことがある。
電力増幅器が信号の送信に必要な電力を出力できないと、基地局に届いた信号の誤り率が増加する。したがって、下りパケットデータに関する情報信号を通信端末から送信しているにも関わらず、基地局ではその信号を正しく受信することができないことがあり、この場合下りパケット通信の速度低下を招く。
一方、上りデータの誤り率も増加することから、上り通信の品質劣化を招く。
そこで、この発明は、通信端末が下りパケットデータに関する情報信号及び上りデータを同時に送信し得る場合に、下りパケットデータに関する情報信号及び上りデータを同時に送信することによって生じるオーバーフローを回避することによって通信品質を高めた通信システムを提供することを目的にする。
なお、下り通信及び上り通信の品質を選択的に高められる通信システムとして、例えば、特開平２００２−２４７０４８号公報に、無線端末に対して送信している下りデータ量と無線端末から受信している上りデータ量との比を測定し、この測定結果が上りデータ量が多いことを示す場合は上り通信の速度を高速化し、下りデータ量が多いことを示す場合は下り通信の速度を高める基地局が記載されている。
しかし、この基地局を用いたとしても、下りパケットデータに関する情報信号及び上りデータを同時に送信する場合に通信端末で生じるオーバーフローを回避することはできない。
そこで、この発明は、通信端末で生じるオーバーフローを回避することによって、上り通信及び下り通信のいずれか一方の通信品質を選択的に高められる通信システムを提供することを目的にする。
【発明の開示】
この発明は、基地局及び該基地局とデータを送受信する通信端末からなる通信システムにおいて、上記基地局は上記通信端末に対して下りパケットデータを送信すると共に上記下りパケットデータを受信した上記通信端末から上記下りパケットデータに関する情報信号を受信し、上記通信端末は上記基地局に対して上りデータ及び上記情報信号を同時に送信することを推定するオーバーフロー推定手段、このオーバーフロー推定手段の推定結果に応じて上記情報信号の送信を抑制する送信信号抑制手段を備える通信システムである。
以上の構成によれば、下りパケットデータに関する情報信号及び上りデータが同時に送信される場合であっても、オーバーフローを回避することによって、上り通信を優先的に通信品質を高めることができる。
【図面の簡単な説明】  第１図  実施の形態１に係る通信システムの構成図である。
第２図  実施の形態１に係る基地局の構成図である。
第３図  実施の形態１に係る端末の構成図である。
第４図  実施の形態１に係るフレームの説明図である。
第５図  オーバーフロー状態を示す説明図である。
第６図  実施の形態１に係る端末の要部の動作説明図である。
第７図  実施の形態１に係る端末の要部の動作説明図である。
第８図  実施の形態１に係る端末の要部の動作説明図である。
第９図  実施の形態１に係るＴＦＣＩの説明図である。
第１０図  実施の形態１に係るＴＦＣＩの説明図である。
第１１図  実施の形態３に係るＴＦＣＩの説明図である。
第１２図  実施の形態４に係るＴＦＣＩの説明図である。
第１３図  実施の形態５に係るＴＦＣＩの説明図である。
【発明を実施するための最良の形態】実施の形態１．
第１図は、この発明の実施の形態１によるパケット通信システムの構成とチャネル構成を示す図である。ここでは、Ｗ−ＣＤＭＡシステムの基地局１０１と端末（通信端末）１００との間のチャネル構成を例に取って説明を行う。なお、チャネル名称は仮称であり今後変更されることがありうる。また実際のチャネルの使われ方としては複数の制御チャネルを一本のチャネルに相乗りさせることも行われる可能性がある。なお、Ｗ−ＣＤＭＡシステムでは端末１００をＵＥ（Ｕｓｅｒ  Ｅｑｕｉｐｍｅｎｔ）、基地局１０１をＮｏｄｅＢと呼ぶことがある。
基地局１０１は、基地局制御装置１０（ＳＲＮＣ：Ｓｅｒｖｉｎｇ  Ｒａｄｉｏ  Ｎｅｔｗｏｒｋ  Ｃｏｎｔｒｏｌｌｅｒ）によって制御されている。基地局制御装置１０には、端末１００の情報が登録されている。
基地局１０１から端末１００へデータ送信する際に用いられる下り方向のチャネルについて説明する。ＣＰＩＣＨ１０２（Ｃｏｍｍｏｎ  Ｐｉｌｏｔ  Ｃｈａｎｎｅｌ）は、セル内の全ての端末に共通に送信されるパイロット信号の送信に利用される。このパイロット信号がセル内の通信における全てのタイミングの基準となる。
下りパケット通信時に利用される下り方向チャネルとしては、パケット制御情報の送信に利用されるＨＳ−ＳＣＣＨ１０５（ＨｉＳｐｅｅｄ  Ｓｈａｒｅｄ  Ｃｏｎｔｒｏｌ  Ｃｈａｎｎｅｌ）、下りパケットデータの送信に利用されるＨＳ−ＤＳＣＨ１０６（ＨｉＳｐｅｅｄ  Ｄｏｗｎｌｉｎｋ  Ｓｈａｒｅｄ  Ｃｈａｎｎｅｌ）がある。これらはセル内で各端末に共通で利用される共有チャネルである。
また、上りパケット通信時に利用される下り方向の共有チャネルとしては、制御情報の送信用としてスケジューラによる割り当て位置（送信時刻）の通知に使用されるＤＬ−ＳＡＣＣＨ１０８（Ｄｏｗｎｌｉｎｋ  Ｓｃｈｅｄｕｌｉｎｇ  Ａｓｓｉｇｎｍｅｎｔ  Ｃｏｎｔｒｏｌ  Ｃｈａｎｎｅｌ）、基地局１０１での上りパケットデータの受信の成功／失敗を端末１００に通知するためのＤＬ−ＡＣＫ／ＮＡＣＫ−ＣＣＨ１１１（Ｄｏｗｎｌｉｎｋ−ＡＣＫ／ＮＡＣＫ  Ｃｏ    ｎｔｒｏｌ  Ｃｈａｎｎｅｌ）が存在する。
次に、端末１００から基地局１０１への上り方向のチャネルについて説明する。下りパケット通信時に利用される上り方向の共有チャネルとしては、制御信号伝送用のＨＳ−ＤＰＣＣＨ１０４（ＨｉＳｐｅｅｄ  Ｄｅｄｉｃａｔｅｄ  Ｐｈｙｓｉｃａｌ  Ｃｏｎｔｒｏｌ  Ｃｈａｎｎｅｌ）がある。これは、下り回線の伝播状況に基づいて基地局１０１へ報告する品質情報であるＣＱＩ（Ｃｈａｎｎｅｌ  Ｑｕａｌｉｔｙ  Ｉｎｄｉｃａｔｏｒ）及び下りパケットが正しく受信できたかどうかを返答する信号であるＡＣＫ／ＮＡＣＫを送信するために用いられる。
また、上りパケット通信時に利用される上り方向の共有チャネルとしては、端末１００の送信データの有無を通知するのに利用されるＵＬ−ＳＩＣＣＨ１０７（Ｕｐｌｉｎｋ  Ｓｃｈｅｄｕｌｉｎｇ  Ｉｎｆｏｒｍａｔｉｏｎ  Ｃｏｎｔｒｏｌ  Ｃｈａｎｎｅｌ）、端末１００が選択した変調方式、符号化レート及び送信レート等を基地局１０１へ通知するのに利用されるＵＬ−ＴＦＲＩ−ＣＣＨ１０９（Ｕｐｌｉｎｋ  ＴＦＲＩ  Ｃｏｎｔｒｏｌ  Ｃｈａｎｎｅｌ）や、上りパケットのデータ本体の送信に利用されるＥＵＤＴＣＨ１１０（Ｅｎｈａｎｃｅｄ  Ｕｐｋｉｎｋ  Ｄｅｄｉｃａｔｅｄ  Ｔｒａｎｓｐｏｒｔ  Ｃｈａｎｎｅｌ）がある。
また、特定端末との通信のために個々に設定されるチャネルであるＤＰＣＨ１０３（Ｄｅｄｉｃａｔｅｄ  Ｐｈｙｓｉｃａｌ  Ｃｈａｎｎｅｌ）は、ＨＳＤＰＡ通信状態時には上り下りそれぞれに設定され、音声やデータ等の通信や上位レイヤのシグナリングのために利用される。
実施の形態１における各チャネルの送信フレームの構成について説明する。１フレームは１５スロットで構成され、１回の送信では３スロットが利用され、この３スロットをサブフレームと呼ぶ。すなわち、１フレーム内には５サブフレームが配置される。
第２図は、実施の形態１による基地局２００（１０１）の構成を示すブロック図である。
第２図を用いてＣＤＭＡ変復調処理について説明する。これは他の実施の形態でも同様の処理を行う部分であり、ＣＤＭＡ方式による通信の一般的な動作である。
端末１００への下りパケット通信時の処理に関わる部分から説明する。変調部２０１において、各チャネルの信号に下りチャネライゼーションコード発生器２０２で発生させたチャネライゼーションコードを掛けた後、各チャネルの信号を多重化する。さらに、多重化した信号に、下りスクランブリングコード発生器２０３で発生させたスクランブリングコードを掛けてスペクトラム拡散処理を行う。このようにして得られた多重化したベースバンド信号の周波数を周波数変換部２０４において搬送波周波数まで上げる。その後、電力増幅部２０５においてパワーアンプによって信号を所望の電力まで増幅し、アンテナ２０６を介して送信する。
端末からの上りデータ受信時には、アンテナ２０６を介して受信した微弱な信号は、低雑音増幅部２０７において増幅され、周波数変換部２０８においてベースバンド信号の周波数に下げられる。ベースバンド信号まで下げられた後、復調部２１１に入力され、上りスクランブリングコード発生器２１０で発生させたスクランブリングコードを掛けて逆拡散処理を行い、上りチャネライゼーションコード発生器２０９で発生させたチャネライゼーションコードを用いて各チャネルに分離する。このようにして、符号分割されたチャネルを分離することができる。
次に、下りパケット通信時の処理ついて説明する。
下りパケット通信用送信データバッファ２１５には網から取得した各端末への送信データが保持される。また、ＨＳ−ＤＰＣＣＨ１０４を利用して端末から送信されたＣＱＩ（品質情報）は復号化部２１２で復号され、品質情報受信部２１４はそこから端末の現時点での伝播状態を取得する。これらのデータと品質情報が下りパケット通信用スケジューラ２１６に供給される。
下りパケット通信用スケジューラ２１６は、タイミング管理部２２６より下り通信用チャネルのスケジューリング、すなわち各端末へのスロットの割り当て状況を取得し、各端末への送信データの有無、及び品質情報から得られた伝播状態を総合的に判断してパケットの送信タイミングを決定する。パケットの送信タイミングが決定したら、下りパケット通信制御情報送信部２１７によって、各端末が下りデータを復調する際に必要な情報が変調部２０１を通してＨＳ−ＳＣＣＨ１０５を利用して送信される。また、下りパケット通信データ送信部２１８によって、下りデータ本体が変調部２０１を通してＨＳ−ＤＳＣＨ１０６を利用して送信される。
送信したパケットが端末１００で正しく受信された場合は、端末１００からＨＳ−ＤＰＣＣＨ１０４を利用してＡＣＫ／ＮＡＣＫが送られ、復調部２１１を通って応答信号判定部２１３に入力される。応答信号判定部２１３では信号を判定し、判定結果が下りパケット通信用スケジューラ２１６に渡される。ＡＣＫと判定された場合には、次のパケットの送信がスケジューリングされ、ＮＡＣＫと判定された場合は再送処理が行われる。下りパケット通信においては、以上の一連の流れが繰り返される。
基地局２００の上りパケット通信に関わる構成について説明する。
基地局２００は、端末からＵＬ−ＳＩＣＣＨ１０７を利用して送信された送信許可依頼に対し、端末１００に対して許容する送信電力のマージンを通知する必要がある。干渉量測定部２１９において、現時点での干渉量を他セルにおける干渉も含めて測定しておく。その値と他の音声チャネル等に利用する電力等を考慮して、端末１００からＥＵＤＴＣＨ１１０が送信される時点での総干渉量を基地局総干渉量予測部２２３で予測し、端末送信電力マージン送信部２２４においてＤＬ−ＳＡＣＣＨ１０８を利用して各端末宛てに送信する。
端末１００からＥＵＤＴＣＨ１１０を利用して送信されるパケットデータの受信においては、まず端末からＵＬ−ＴＦＲＩ−ＣＣＨ１０９を利用して送信される端末１００からのパケットデータの受信に必要な復調パラメータが復調部２１１を通してＴＦＲＩ受信部２２０に供給される。得られた復調パラメータは、復調部２１１および復号化部２２１に供給される。
端末からＥＵＤＴＣＨ１１０を利用して送信されるパケットデータは、復調部２１１を通して復号化部２２１に供給され、エラー訂正チェックが行われた後、応答信号送信部２２２に供給され、受信エラーがなければＡＣＫ、エラーが発生した場合はＮＡＣＫの応答信号が生成される。ＡＣＫ／ＮＡＣＫ応答信号はＤＬ−ＡＣＫ／ＮＡＣＫ−ＣＣＨ１１１を利用して端末に送信される。
タイミング管理部２２６では、原振（図示せず）より供給される基準クロック信号に基づいてサブフレーム等のタイミングを発生させ、各処理部へ供給する。上りパケット通信においてはこの一連の流れが繰り返される。
第３図は、実施の形態１による端末１００（３００）の構成を示すブロック図である。
まず、ＣＤＭＡ変復調処理について説明する。この部分は、他の実施の形態でも同様の部分であり、ＣＤＭＡ方式による通信を行う端末の一般的な処理である。
変調部３０１では各チャネルの信号をチャネライゼーションコード発生器３０２で発生させたチャネライゼーションコードを掛けて後で多重化する。多重化したものにスクランブリングコード発生器３０３で発生させたスクランブリングコードを掛けてスペクトラム拡散処理を行う。この多重化したベースバンド信号を周波数変換部３０４において搬送波周波数まで上げる。その後電力増幅部３０５においてパワーアンプに信号を入れ所望の電力まで増幅し、アンテナ３０６を介して送信する。
基地局２００からの信号受信時には、アンテナ３０６を介して受信した微弱な信号は低雑音増幅部３０７において増幅され、周波数変換部３０８においてベースバンド信号の周波数に下げられる。そのベースバンド信号は復調部３１１に入力される。復調部３１１において、ベースバンド信号にスクランブリングコード発生器３１０で発生されたスクランブリングコードを掛けて逆拡散処理を行い、さらにチャネライゼーションコード発生器３０９で発生されたチャネライゼーションコードを用いて信号を各チャネルに分離する。こうして符号分割されたチャネルを分離することができる。
次に、下りパケット通信時のデータ処理に関わる構成について説明する。ＣＰＩＣＨ１０２を利用して基地局２００より通知された基準タイミングは、復調部３１１を通ってタイミング管理部３１８へ供給される。タイミング管理部３１８は、各処理部へ処理タイミングの基準となるタイミング信号を供給する。特に、基地局２００から受け取ったスケジュール情報に基づいてＥＵＤＴＣＨ送信処理部３２２へ上りパケットデータの送信タイミング信号を出力するとともに、ＨＳ−ＳＣＣＨタイミング信号に基づいてＨＳ−ＤＰＣＣＨ送信処理部３１７へ下りパケット応答信号用の送信タイミング信号を出力する。ＨＳ−ＤＰＣＣＨ送信処理部３１７の出力する送信タイミング信号は、ＨＳ−ＳＣＣＨ又はＨＳ−ＤＳＣＨの送信タイミングから予め設定された時間経過後という基準に基づき生成される。
さらに、基準タイミングは伝播品質推定部３１５へも通知され、下りチャネルの伝播状態の推定に利用される。伝播品質推定部３１５で推定された伝播状態を基に品質情報信号生成部３１６においてＣＱＩ値が生成され、ＨＳ−ＤＰＣＣＨ送信処理部３１７に供給され、ＨＳ−ＤＰＣＣＨ１０４を利用して基地局２００に送信される。
基地局２００から送信されたパケットデータが端末３００で受信されると、ＨＳ−ＳＣＣＨ１０５を利用して送られたパケット制御信号は復調部３１１を通って復号器３１２に供給され、復号処理が行われる。復号器３１２で制御信号を復号することにより、ＨＳ−ＤＳＣＨ１０６を用いて基地局２００より送信されるパケットデータの復調パラメータが得られる。復調パラメータは復調部３１１および復号器３１３に供給される。ＨＳ−ＳＣＣＨ１０５を使用して基地局２００から送信されたパケットデータは、復調部３１１を通って復号器３１３に供給される。パケットを正しく受信できた場合は応答信号生成部３１４においてＡＣＫ信号が生成され、エラーの場合はＮＡＣＫ信号が生成される。生成されたＡＣＫ／ＮＡＣＫは、ＨＳ−ＤＰＣＣＨ送信処理部３１７において所定のスロットに配置され、ＨＳ−ＤＰＣＣＨ１０４を用いて基地局１０１に通知される。下りパケット通信時には、この一連の処理が繰り返される。
次に、端末３００の上りパケット通信に関わる構成について説明する。
端末３００がＵＬ−ＳＩＣＣＨ１０７を利用して基地局２００に送信した送信許可に対し、基地局２００より、ＤＬ−ＳＡＣＣＨ１０８を利用して送信された許容送信電力マージンは、復調部３１１を通して送信マージン受信部３１９に供給される。送信マージン受信部３１９は、端末に許容される最大電力を送信電力管理部３２５に通知する。ユーザの指示に従って、上位レイヤを介して送信すべきデータが上りパケット通信用送信データバッファ３２４に格納される。上りパケット通信用送信データバッファ３２４は、バッファ内に送信すべきデータが存在することを送信決定部３２０へ通知する。送信決定部３２０は、パケットを送信する際にはＴＦＣＩ（Ｔｒａｎｓｐｏｒｔ  Ｆｏｒｍａｔ  Ｃｏｎｂｉｎａｔｉｏｎ  Ｉｎｄｉｃａｔｏｒ）を決定し、ＴＦＲＩ送信処理部３２３へ通知する。
ここで、ＴＦＣＩとはデータを送信するトランスポートチャネルの種類や送信レート等の組合せを通知するための情報であり、上りデータの送信前に端末から基地局に通知されるものである。なお、ＴＦＣＩは、ＴＦＲＩ（Ｔｒａｎｓｐｏｒｔ  Ｆｏｒｍａｔ  ａｎｄ  Ｒｅｓｏｕｒｃｅ  Ｉｎｄｉｃａｔｏｒ）と呼ばれる場合もあるが、ＴＦＲＩはＴＦＣＩに含まれる。
ＴＦＲＩ送信処理部３２３は、タイミング管理部３１８が指定するサブフレーム位置に従って、ＵＬ−ＴＦＲＩ−ＣＣＨ１０９を利用してＴＦＣＩの送信を行う。また、上りパケット通信用送信データバッファ３２４に格納された送信データはＥＵＤＴＣＨ送信処理部３２２に供給され、ＥＵＤＴＣＨ送信処理部３２２は、タイミング管理部３１８が指定するサブフレーム位置に従って、ＥＵＤＴＣＨ１１０を利用してデータの送信を行う。
基地局２００は、ＤＬ−ＡＣＫ／ＮＡＣＫ−ＣＣＨ１１１を利用して、端末３００からＥＵＤＴＣＨ１１０を利用して送信されたにパケットデータに対するＡＣＫ／ＮＡＣＫ応答信号を端末５００に送信する。ＤＬ−ＡＣＫ／ＮＡＣＫ−ＣＣＨ１１１によって送信されたＡＣＫ／ＮＡＣＫ信号は、復調部３１１を通って応答信号受信部３２１に供給される。受信結果は上りパケット通信用送信データバッファ３２４に通知される。上りパケット通信用送信データバッファ３２４は、受信結果がＮＡＣＫの場合は再送を行い、ＡＣＫの場合は送信済みデータを削除し次のパケットを送信する。上りパケット通信においてはこの一連の流れが繰り返される。
次に下りパケット通信の流れについて説明する。基地局２００は、セル内に存在する端末３００に対してＣＰＩＣＨ１０２を利用してパイロット信号を送信している。また、通信状態時においてはＤＰＣＨ１０３が設定される。基地局１０１がデータ送信を開始する場合には、端末３００に対してＨＳ−ＤＳＣＨ１０６によって伝送されるパケットデータ復調に必要な変調方式、符号化率等を含んだ情報をＨＳ−ＳＣＣＨ１０５を利用して送信する。端末３００はこの情報を受け取り、自分宛てのものであればそれを利用してＨＳ−ＤＳＣＨ１０６によって送信されたパケットデータの復調を開始する。自分宛てでない場合は無視をする。端末１００は復調したデータの照合を行い、誤りがないようであればＨＳ−ＤＰＣＣＨ１０４を利用してＡＣＫを基地局２００に送信し、誤りがあるようであればＮＡＣＫを送信する。
ここで、ＨＳ−ＤＰＣＣＨ１０４を用いてデータ送信する場合のフレーム構成を第４図に示す。１フレームは１５スロットで構成され、１回の送信で利用される３スロットをサブフレームと呼ぶ。すなわち、１フレーム内には５サブフレームが配置される。１サブフレームを構成する３スロットのうち１スロットはＡＣＫ／ＮＡＣＫ送信用であり、２スロットは上述した品質情報ＣＱＩ送信用に利用される。この２つは独立して利用され、必ずしも同時に送信するとは限らない。
次に上りパケット通信の流れについて説明する。下りパケット通信の場合には、原則として基地局２００側でスケジューリングを行い、端末３００は基地局２００に指定されたパケット送信周期およびタイミングに従って、基地局２００宛てにパケットを送信する。一方、上りパケット通信の場合には、複数のスケジューリング方法が考えられるが、ここでは、基地局でスケジューリングは行わず、端末３００内部の送信決定部３２０が各上り信号の送信タイミングを決定する。
下り通信優先時の端末３００の動作を説明する。
下り通信を優先させている場合は、ＴＦＲＩ送信処理部３２３で選択できるＴＦＣＩの範囲がＨＳ−ＤＰＣＣＨ送信制御部３１７の送信タイミングと重なっても、電力増幅部３０５の出力が規定値を超えないように制限される。もし、この出力が規定値を超えてしまうと、第５図で示されるように、ＡＣＫ／ＮＡＣＫ及びＥＵＤＴＣＨによる上りパケットデータの送信タイミングが重なっている時に、送信に必要な電力が端末３００の送信電力上限を上回ってしまい、オーバーフロー状態が発生する。オーバーフロー状態が発生すると、上りパケットデータ及び下りパケットデータに関する情報信号の誤り率が増加してしまうため、上りパケットデータ及び下りパケットデータを再送する必要が生じて遅延が起きたり、通信品質が劣化したりする。
下り通信優先時に上りパケットデータが発生したときの端末３００の動作を説明する。まず、ユーザからの入力によって上りパケットデータは上りパケット通信用送信データバッファ３２４内に格納される。この上りパケット通信用送信データバッファ３２４に格納されているデータ量は送信電力管理部３２５によって確認されている。
上りパケット通信用データバッファ３２４に上りパケットデータが格納されると、上りパケット通信用データバッファ３２４は送信決定部３２０に対して上りパケットデータの存在を通知する。この通知を受けた送信決定部３２０は、上りパケットデータを基地局に送信することを許可するように求める送信許可要求信号をＳＩＣＣＨ送信処理部３２６を介して基地局２００に送信する。この送信に対して基地局２００がＤＬ−ＳＡＣＣＨを利用して通知したサブフレーム位置に基づいて、タイミング管理部３１８が、ＴＦＲＩ送信処理部３２３に対してＴＦＣＩの送信を指令する。
この指令を受けたＴＦＲＩ送信処理部３２３は、ＨＳ−ＤＰＣＣＨ送信処理部３１７から出力される信号の出力電力を確保できるように、低い送信電力で上りパケットデータを送信できるＴＦＣＩを選択する。
また、このＴＦＲＩ送信処理部３２３の出力を受けたＥＵＤＴＣＨ３２２は、送信電力管理部３２５において制限内で選択されたＴＦＣＩに基づいて上りパケット通信用送信データバッファ３２４に格納されているパケットを送信する。
一方、下り通信優先時に下りパケットデータを受信する場合の端末３００の動作を説明する。
下りパケットデータを受信する場合は、事前にＨＳ−ＳＣＣＨを用いて下りパケットデータに関する制御情報を受信する。この受信に基づいて送信電力管理部３２５はＴＦＲＩ送信処理部３２３に対して、上りパケットデータのエンコードに用いるＴＦＣＩとして、ＥＵＤＴＣＨによる上りパケットデータ及びＨＳＤＰＣＣＨによるＡＣＫ／ＮＡＣＫ又はＣＱＩを同時に送信しても送信中の送信電力が規定値を超えないＴＦＣＩのみ選択できるように制限する。
この制限によって、以降制限が解除されるまでは、いつＡＣＫ／ＮＡＣＫを送信しても送信中の送信電力が規定値を超えることはない。
次にＴＦＲＩ送信処理部３２３に制限をかける送信電力管理部３２５の動作を第６図〜第８図に基づいて説明する。
端末３００の動作が開始すると、端末３００内部に設けられた送信電力管理部３２５（記憶手段）において、初期のＴＦＣＩテーブル及び上り通信または下り通信を優先する旨を示す優先度情報が設定される（Ｓ１００）。初期設定が終わると、送信電力管理部３２５は、内部で上り通信または下り通信が優先されていることを確認する（Ｓ１０２）。その確認結果が下り通信を優先することを示す場合はステップＳ２００へ進み、上り通信を優先することを示す場合はステップＳ３００へ進む。なお、上り通信を優先するか下り通信を優先するかは適宜変更されることが望ましい。例えば、ユーザからの入力信号に応じて優先する通信を変更する。ユーザからの入力に応じて優先することにすれば、ユーザが受けたい通信サービスに応じて最適な通信を実現することができる。また、端末に音声信号が入力されているか否かを検出する音声信号検出手段（図示せず）を備えておき、この音声信号検出手段の検出結果に応じて送信電力管理部３２５内に設定している上り通信または下り通信を優先することを示す優先度情報を切り替えるようにしても良い。このようにすれば、ユーザが会話をしている場合に上り通信を優先し、ユーザが会話をしていない場合は下り通信を優先する端末及び通信システムを提供できる。
下り通信を優先する場合の送信電力管理部３２５の動作を説明する。
まず、上りパケットデータの送信タイミングと下りパケットデータに関する情報信号（ＡＣＫ／ＮＡＣＫ、ＣＱＩ）を同時に送信することを推定するオーバーフロー推定動作（Ｓ２０１〜Ｓ２０３）を行う（オーバーフロー推定手段）。
基地局２００からＨＳ−ＳＣＣＨを用いて送信される下りパケットデータに関連した制御情報を待ちうける（Ｓ２０１）。この制御情報は下りパケットデータの受信に先だって受信できるので、上記制御情報を受信することでＡＣＫ／ＮＡＣＫ及びＣＱＩの送信予定を検出することができる。
下りパケットデータに関連したＨＳ−ＳＣＣＨによる制御情報を受信した場合、端末３００で上りパケットデータを送信しているか否かを判定する（Ｓ２０３）。この判定は、送信電力管理部３２５が上りパケット通信用送信データバッファ３２４から検出した上りパケット量に基づいて行う。なお、上り通信を行っている場合は上りパケット通信用送信データバッファ３２４内に上りパケットデータが格納されている。以上の動作（Ｓ２０１〜Ｓ２０３）により、下りパケットデータを受信しつつ上りパケットデータが存在することを検出することによって、オーバーフローの発生を推定する。なお、ここで示すオーバーフロー推定手段は一例に過ぎず、上りパケットデータの送信タイミングと下りパケットデータに関する情報信号（ＡＣＫ／ＮＡＣＫ、ＣＱＩ）の送信タイミングが重なる可能性が高い状態を検出する動作であればオーバーフロー推定手段を構成する。
次に、ステップＳ２０３での判定結果が上りパケットデータを送信していることを示した場合（オーバーフローの発生を推定した場合）、受信したＨＳ−ＳＣＣＨによる下りパケットデータに関連する制御信号に基づいて予測したＡＣＫ／ＮＡＣＫの送信タイミングが上りパケットデータを送信しているフレーム内であるか、その次のフレームであるかを判定する（Ｓ２０５）。
ステップＳ２０５の検出結果がＡＣＫ／ＮＡＣＫの送信タイミングが次のフレームであることを示す場合、サブフレーム位置／送信マージン受信部３１９から出力される送信マージン及びＡＣＫ／ＮＡＣＫの送信に必要な電力に基づき、ＡＣＫ／ＮＡＣＫを送信すると仮定した場合にどの程度の電力を出力できるか（余裕電力）を推定する（Ｓ２０９）。
この推定結果に基づき、送信電力管理部３２５は選択するＴＦＣＩを一定のものに制限する。
ここで、ＴＦＣＩを第９図に基づいて説明する。ＴＦＣＩは上りデータを送信するトランスポートチャネルの種類（ここではＥＵＤＴＣＨ、ＤＣＣＨ）及び各トランスポートチャネルの送信レートの組み合わせであり、夫々に送信レートに応じたＴＦＣ番号が付与されている。そして、複数のＴＦＣＩをまとめたＴＦＣＩテーブルとして送信電力管理部３２５に記憶されている。
なお、第９図では、ＴＦＣＩの送信レートとして、単位ＴＴＩ（Ｔｒａｎｓｍｉｓｓｉｏｎ  Ｔｉｍｅ  Ｉｎｔｅｒｖａｌ）長当たりの送信データ量を記載している。また、送信レートを高めつつ所定の誤り率を維持するためには必要とする送信電力も増加するので、送信電力管理部３２５が高い送信レートのＴＦＣＩを選択すると、電力増幅部３０５の出力電力を増加させる。
ステップＳ２０９による余裕電力の推定に基づき、送信電力管理部３２５で選択できるＴＦＣＩが制限される（Ｓ２１１）。ここでは、この制限によって、第９図のＴＦＣＩテーブルの中で選択できるＴＦＣ番号が＃１〜３のものに制限されていると仮定して説明する。
ステップＳ２１１の動作によって制限されているＴＦＣＩテーブルの中で、送信電力管理部３２５は、上りデータ（ＥＵＤＴＣＨ及びＤＴＣＨ）を最も速く送信できるように、制限範囲内で最も送信レートが大きいＴＦＣ番号＃３を選択し、送信電力管理部３２５内で設定しているＴＦＣＩを更新する（Ｓ２１３）。
この更新の後、送信電力管理部３２５は、ＴＦＲＩ送信処理部３２３に、変更後のＴＦＣＩを設定する。この設定されているＴＦＣＩは、次のフレームで上りデータが送信される前にＴＦＲＩ送信処理部３２３から出力される。
また、ステップＳ２１３によるＴＦＣＩの変更に基づいて、変調部３０１内でチャネル毎の送信電力を決定する要素となるゲインファクタを変更する（Ｓ２１５）。
この変更の後、送信電力管理部３２５は第６図の▲１▼に進む。
以上の処理によって、次のフレームにおいて、ＡＣＫ／ＮＡＣＫを確実に送信することができる。
ステップＳ２１５の後、送信電力管理部３２５は、送信決定部３２０へ上りパケットデータの送信を行うように指令する。この指令に基づき、ＳＩＣＣＨ送信処理部３２６は送信許可を要求する信号をＳＩＣＣＨを利用して送信する。この要求信号が基地局２００で受信され、送信が許可される場合はＤＬ−ＳＡＣＣＨを用いてサブフレーム位置／送信マージン受信部３１９にサブフレーム位置と送信マージンとを示す信号が入力される。サブフレーム位置／送信マージン受信部３１９から出力されたサブフレーム位置に、ＥＵＤＴＣＨ送信処理部３２２から上りパケットデータが出力される。なお、送信決定部３２０は、ステップ２１５の後、上りパケット通信送信データバッファ３２４から送信要求を受けているかいないかに関わらず上りパケットデータの送信タイミングの前にＴＦＣＩを基地局２００に届ける。したがって、上りパケットデータを送信する時点では基地局２００へ更新されたＴＦＣＩが届いており、復調部２１１、復号化部２２１が、変更されたＴＦＣＩに基づいて上りデータを受信できる状態になる。
したがって、次のフレームでＡＣＫ／ＮＡＣＫを送信する時、上りパケットデータが同時に送信されていたとしても、基地局２００はそのＡＣＫ／ＮＡＣＫを誤りなく受信できる。
また、ステップＳ２０５の判定結果が、予定されるＡＣＫ／ＮＡＣＫ位置が現在送信中のフレーム内であることを示す場合は、設定しているＴＦＣＩを変更してもＡＣＫ／ＮＡＣＫを送信するまでに基地局１００の復調部２１１、復号化部２２１の設定を変更することができない。したがって、この場合はＡＣＫ／ＮＡＣＫの送信を中止することによって、少なくとも上りパケットデータが基地局１００に届くようにする（Ｓ２０７）。その後は他の場合と同様ステップＳ２０９〜２１７の動作を行う。
一方、ステップＳ２０３の判定結果が上りパケットデータを送信していないことを示した場合、次のフレームにおいてＡＣＫ／ＮＡＣＫの送信タイミングと上りパケットデータの送信タイミングが重なる場合に備えて、上記ステップＳ２０９〜Ｓ２１７までの動作を行う。
また、ステップＳ２０１で、下りパケットデータを受信しなかった場合は、今後も下りパケットデータを受信しないのか、それとも下りパケットデータを受信しそうであるのかを判定する（Ｓ２１９）。この判定結果が下りパケットデータの受信がありそうなことを示す場合は第７図の▲２▼へ進んで送信電力管理部３２５で検出している上りパケットデータ量に基づいてＴＦＣＩを選択する（Ｓ２１３）。選択後はステップＳ２１５〜２１７の動作を行い、第６図の▲１▼の状態に戻る。
一方、ステップＳ２１９の判定結果が下りパケットデータがしばらくこないことを示した場合、送信電力管理部３２５のＴＦＣＩテーブルの選択範囲の制限を解除し、検出している上りパケットデータ量に基づいてＴＦＣＩを選択する（Ｓ２１３）。以降ステップＳ２１５〜２１９の動作を行ない第６図の▲１▼の状態へ移行する。
なお、ステップＳ２１９の判定は、例えば、端末３００内のタイマ（図示せず）によって計測する時間と、その計測時間内に下りパケットデータを受信した回数に基づいて、今後の下りパケットデータの受信を推測することができる。また、基地局２００から下りパケットデータを送信するスケジュールを通知してもらっても良い。
ステップＳ１０２で、上りを優先する旨が示された場合について第８図に基づいて説明する。
まず、送信電力管理部３２５で、上りパケットデータと下りパケットデータに関する情報信号（ＡＣＫ／ＮＡＣＫ，ＣＱＩ）の送信が同時にあることを推定するオーバーフロー推定処理を行う（Ｓ３０１〜Ｓ３０５）。
上りが優先されている場合、送信電力管理部３２５は送信する上りパケットデータを待ちうける（Ｓ３０１）。
この待ちうけ中に上りパケットデータを受信した場合は、上りパケットデータを送信した場合に電力増幅部２０５が出力することになる送信予定電力を予測する（Ｓ３０３）。
この予測をした時、送信電力管理部３２５はＡＣＫ／ＮＡＣＫまたはＣＱＩの送信予定があるか否かを判定する（Ｓ３０５）。
この判定結果がＡＣＫ／ＮＡＣＫまたはＣＱＩの送信予定がない旨を示す場合（オーバーフローの発生を推定しない場合）は、オーバフローを考慮する必要がないので、ＥＵＤＴＣＨを利用した上りパケットデータのデータ量に応じたＴＦＣＩを選択する（Ｓ３１５）。その一方で、ステップＳ３０５の判定結果がＡＣＫ／ＮＡＣＫまたはＣＱＩの送信予定がある（オーバーフローの発生を推定する）のであれば、現在設定されているＴＦＣＩで送信を行ったとき、ＡＣＫ／ＮＡＣＫまたはＣＱＩを送信するために必要な電力の余裕が残っているか否かを判定する（Ｓ３０７）。
この判定結果が電力の余裕がないことを示す場合は、ＨＳ−ＤＰＣＨ送信処理部３１７に対してＡＣＫ／ＮＡＣＫの送信を中止するように指令し、ＡＣＫ／ＮＡＣＫを送信しない（Ｓ３２５）（送信信号抑制手段）。
ステップＳ３２５の後は、ステップＳ３２５に進んで、上りパケットデータのデータ量に応じたＴＦＣＩが選択される（Ｓ３１５）。
ステップＳ３１５でＴＦＣＩが選択されたら、選択したＴＦＣＩをＴＦＲＩ送信処理部３２３に設定する。この設定により、ＴＦＲＩ送信処理部３２３は、変調部３０１内に設定されているゲインファクタを変更する（Ｓ３１７）。
この変更は送信決定部３２０に通知され、送信決定部３２０がＳＩＣＣＨによる送信許可信号を基地局２００に送信する（Ｓ３１９）。
なお、この送信が行われると送信電力管理部３２５は第６図▲１▼の状態に移行する。
また、下りパケットデータを送信してから所定時間が経過してもＡＣＫ／ＮＡＣＫを受信できなかった場合に同一の下りパケットデータを再送する基地局と通信を行っている場合、端末１００内部でＡＣＫ／ＮＡＣＫの送信を止めると、上記基地局から下りパケットデータの再送が行われて通信網を浪費してしまう。そこで、端末１００から下りパケットデータの再送を中止するキャンセルコマンド（再送停止信号）を送信する設定を設けても良い。
この設定が有る場合は、ステップＳ３２１の後、ステップＳ３２５へ進むので（Ｓ３２３）、このステップでキャンセルコマンドを送信する。なお、キャンセルコマンドの送信のために新たにシグナリングを追加しても良いが、ＴＦＣＩテーブルを予め拡張しておき、そのＴＦＣＩテーブルにキャンセルコマンドを書き込むようにすれば、ＴＦＣＩの送信によってキャンセルコマンドも基地局に通知されるので、新たにシグナリングを用意しなくても良い。そして、キャンセルコマンド（再送停止信号）を上りパケットデータの送信前に送信することができる。
また、ＡＣＫ／ＮＡＣＫのＲｅｐｅｔｉｔｉｏｎ数を高速に切りかえるモードを設定しているときには、ステップＳ３０７の判定結果が、ＡＣＫ／ＮＡＣＫを送信するのに必要な電力が十分でない場合に、Ｒｅｐｅｔｉｔｉｏｎ数を増加させるモードに移行する（Ｓ３０９）。
Ｒｅｐｅｔｉｔｉｏｎ数とは、同一信号を繰り返し送信する回数を示すもので、端末３００から基地局２００に予めＲｅｐｅｔｉｔｉｏｎ数を通知しておけば、端末３００から１回に送信する電力が弱くても、Ｒｅｐｅｔｉｔｉｏｎ数だけ同一信号を受信すれば、十分な送信電力で一度送信した場合と同様の誤り率を実現することができる。したがって、端末３００はＲｅｐｅｔｉｔｉｏｎ数を増加させたチャネルの送信電力を抑制できる。また、Ｒｅｐｅｔｉｔｉｏｎ数の通知は、そのチャネルを用いた信号（ＡＣＫ／ＮＡＣＫまたはＣＱＩ）を基地局に送信する前に基地局へ届けておく必要があるから高速に行う必要がある。その点、Ｗ−ＣＤＭＡ方式におけるＴＦＣＩ信号は、端末から基地局へ高速に届けることができる。したがって、Ｒｅｐｅｔｉｔｉｏｎ数を示す情報を予め拡張したＴＦＣＩフォーマットの空き領域に組み込んだＴＦＣＩ信号を送信すれば、Ｒｅｐｅｔｉｔｉｏｎ数の通知を新たなシグナリングを用意せずに、かつ、迅速に行うことができる。
ステップＳ３０９の後、送信電力管理部３２５は、上りパケットデータを最速に送信できると共に、ＨＳ−ＤＰＣＣＨについてのＲｅｐｅｔｉｔｉｏｎ数を増加させることによってＡＣＫ／ＮＡＣＫやＣＱＩの１回当たりの送信に必要な送信電力を抑制できるＴＦＣＩを検索する（Ｓ３１１）。
検索したＴＦＣＩの中に所望のＴＦＣＩがあればそのＴＦＣＩを選択する（Ｓ３１３、３１５）。新たにＴＦＣ番号を選択すると、送信電力管理部３２５は、ＴＦＲＩ送信処理部３２３に設定されているＴＦＣＩを変更する（送信信号抑制手段）。この変更により、次にＴＦＣＩ信号が送信される場合に、変調部３０１で変更されたＴＦＣＩを検出し、ＴＦＣＩ信号の送信後に、ＴＦＣＩに応じたゲインファクタに変調部３０１内で設定されているゲインファクタを変更する（Ｓ３１７）。
ステップＳ３１７に続いて、送信電力管理部３２５は、ＳＩＣＣＨによる送信許可要求信号を基地局１０１に対して通知し、この通知の後にＴＦＣＩ信号を送信し、上記通知に対する応答を基地局１０１から受信することによってＥＵＤＴＣＨによる上りパケットデータの送信を行う（Ｓ３１９）。
ステップＳ３１９に続いて送信電力管理部３２５は、第６図の▲１▼の状態に進む。
もし、送信できるＴＦＣＩの中にＲｅｐｅｔｉｔｉｏｎ数を増加させても、上りパケットデータ及びＨＳ−ＤＰＣＣＨによるＡＣＫ／ＮＡＣＫまたはＣＱＩを送信できるものがなければ（Ｓ３１３）、ＡＣＫ／ＮＡＣＫやＣＱＩの送信を中止し（Ｓ３２５）、上りパケットデータの送信量に応じたＴＦＣＩを選択する（Ｓ３１５）。以降、ステップＳ３１７〜３１９の動作を行う。
なお、現行のＷ−ＣＤＭＡ方式で定められているＴＦＣＩには、Ｒｅｐｅｔｉｔｉｏｎ数は組み込まれていないため、この方法を使用するためには、拡張したＴＦＣＩフォーマットを使用する必要がある。また、ＴＦＣＩは、端末で信号列に符号化され、符号化されている信号列を基地局でＴＦＲＩテーブルに復号する。したがって、ＴＦＣＩを拡張したシステムを適用するには、端末でＴＦＣＩを符号化する部分と基地局で復号化する部分を改良すれば足りる。
拡張したフォーマットのＴＦＣＩテーブルを第９図に基づいて説明する。
新たなフォーマットでは、ＴＦＣ番号、ＥＵＤＴＣＨデータ、ＤＣＣＨ制御情報に加えて、ＡＣＫ／ＮＡＣＫ及びＣＱＩに関するＲｅｐｅｔｉｔｉｏｎ数のように下りパケット通信に関する情報信号の送信電力を抑制する情報が示されている。
また、Ｒｅｐｅｔｉｔｉｏｎ数の設定の仕方によって、端末の性質を変化させることができる。Ｒｅｐｅｔｉｔｉｏｎ数の設定例を第１０図に基づいて説明する。
（ＣＡＳＥ．Ｂ）
ＣＡＳＥ．Ｂで示すＴＦＣＩテーブルは、ＥＵＤＴＣＨによる送信に必要となる電力が高くなるＴＦＣ番号程、ＡＣＫ／ＮＡＣＫまたはＣＱＩについてのＲｅｐｅｔｉｔｉｏｎ数が増加している。すなわちＡＣＫ／ＮＡＣＫまたはＣＱＩの送信電力を抑制している。このようなＴＦＣＩテーブルに基づけば、上りパケットデータを高速にしている場合にＡＣＫ／ＮＡＣＫ等の送信電力を下げることができるので、上りデータを高速に送信するとＡＣＫ／ＮＡＣＫ等の送信電力が不足してしまうような状況下で、上り通信を優先しながら、極力下り通信品質を維持する端末を実現することができる。
（ＣＡＳＥ．Ｃ）
ＣＡＳＥ．Ｃで示すＴＦＣＩテーブルは、ＥＵＤＴＣＨによる送信に必要となる電力が高くなるＴＦＣ番号程、ＡＣＫ／ＮＡＣＫ等のＲｅｐｅｔｉｔｉｏｎ数が増加している。そして、送信電力の高さが特に高くなる場合（第１０図においてＴＦＲＩ番号が＃３、＃４）には、ＡＣＫ／ＮＡＣＫ等の送信しない設定にしている。
ＡＣＫ／ＮＡＣＫ等の送信自体を中止することによって、ＥＵＤＴＣＨによる上りパケットデータの送信を高速に行うと送信電力が不足しがちになる場合に有効な端末を実現できる。
（ＣＡＳＥ．Ｄ）
ＣＡＳＥ．Ｄで示すＴＦＣＩテーブルは、ＤＣＣＨを送信する場合はＡＣＫ／ＮＡＣＫ等を送信しないことにし、ＤＣＣＨを送信しない場合にのみ、ＡＣＫ／ＮＡＣＫ及びＣＱＩのＲｅｐｅｔｉｔｉｏｎ数を１または２回にして送信することにしている。なお、ＤＣＣＨは制御情報を送信するチャネルである。このようなＴＦＣＩテーブルを設定することで、上りデータの送信を極力優先しつつ、下り通信をあまり犠牲にしない端末を実現できる。
なお、Ｒｅｐｅｔｉｔｉｏｎ数を変化させる場合には、初期設定時に使用するＴＦＣＩテーブルは、第９図の代わりに、第１０図（ＣＡＳＥ．Ａ）に示すテーブルを用いる。ＣＡＳＥ．ＡのようなＲｅｐｅｔｉｔｉｏｎ数が常に１であるＴＦＣＩテーブルであれば、Ｒｅｐｅｔｉｔｉｏｎ数を変化させない第９図に示すテーブルと同様の役割を果たすと共に、Ｒｅｐｅｔｉｔｉｏｎ数を増加させた場合のＴＦＣＩフォーマットと同じフォーマットになるので、Ｒｅｐｅｔｉｔｉｏｎ数の変更と共にＴＦＣＩのフォーマットを変更する必要がないからである。
以上説明したとおり、この実施の形態１に係る端末によれば、上りデータと下りパケットデータに関する情報信号との送信タイミングが重なることによって生じるオーバーフローを回避するとともに、上り通信を優先した動作及び下り通信を優先した動作を行うことができるので、上り通信または下り通信を高速化した端末及び通信システムを提供できる。
また、端末を改良することによって上り通信又は下り通信を優先した通信システムを実現できるので、上り通信又は下り通信を優先した通信システムの実現が容易である。
また、端末が、下りパケットデータに関する情報信号又は上りデータを送信する度に上記情報信号または上りデータの抑制または送信中止をするか否かを切り替えられるので、不必要に優先しない通信方向の通信品質を犠牲にしないで良い。したがって、特に突発的にオーバーフローが発生する場合に有効である。
また、端末がオーバーフローを推定した場合に、情報信号の送信電力を抑制すると共に、情報信号を所定回数繰り返し送信することを通知し、この通知後に上記情報信号を繰り返し送信するので、情報信号及び上りデータを同時に送信する場合であってもオーバーフローを回避できると共に、情報信号の誤り率も維持することができる。
また、繰り返し送信することを示す情報が空き領域に組み込まれたＴＦＣＩ信号を送信するので、端末から基地局に高速に繰り返し信号の送信を通知できる端末及び通信システムを提供できる。
また、上記オーバーフロー推定手段の推定結果に基づいて、上記基地局にパケット再送を停止させる再送停止信号を上りデータの送信前又は送信後に送信する再送停止信号送信手段を備えるので、オーバーフローを防止した場合に、パケット再送が生じることを防止した端末及び通信システムを提供できる。
また、オーバーフロー推定手段がオーバーフローを推定したとき、記憶手段（送信電力管理部３２５）に記憶された優先度情報に従って、上り通信優先手段（Ｓ３００）又は下り通信優先手段（Ｓ２００）を選択的に動作させる選択手段（Ｓ１０４）を備えるので、オーバーフローの発生を回避して、上り通信または下り通信を優先した通信を行う端末及び通信システムを提供できる。
また、記憶手段（送信電力管理部３２５）に記憶している上記優先度情報は、ユーザの操作による入力信号で変更可能に構成されているので、ユーザが提供を受けたい通信方向を優先した端末及び通信システムを提供することができる。
また、音声入力がされているか否かを検出する音声信号検出手段の検出結果に応じて、記憶装置（送信電力管理部３２５）に記憶している優先度情報を変更するので、ユーザが会話を始めたときに、自動的に記憶装置に記憶している優先度情報を自動的に上り通信を優先するように設定し、ユーザが会話を中止している間は上り通信を優先するように設定することができる。
実施の形態２．
実施の形態１のオーバーフロー推定手段は、下りパケットデータを送信する時期に上りパケットデータを送信していることを検出することによってオーバーフローの推定を行ったり、上りパケットデータを送信する時期に下りパケットデータに関する情報信号（ＡＣＫ／ＮＡＣＫ、ＣＱＩ）を送信するか否かによってオーバーフローの推定を行ったりしていた。しかし、オーバーフロー推定手段はこのような手段に限定されることなく、例えば、所定時間連続してオーバーフローが発生していることを検出することで、上りパケットデータとＡＣＫ／ＮＡＣＫやＣＱＩとが同時に送信されることによって生じるオーバーフローの発生を推定しても良い。
所定時間連続してオーバーフローが発生しているということは、ＡＣＫ／ＮＡＣＫやＣＱＩが送信されていなくても、上りパケットデータを高い送信レートで送信し続けることによってにオーバーフローが発生していることも考えられる。このような場合は、端末で送信レートを下げたとしても、端末の送信電力が規定値に近いことには変わりが無く、ＡＣＫ／ＮＡＣＫやＣＱＩによってオーバーフローが発生し易い状態であるから、このような状態で、上りパケットデータ又はＡＣＫ／ＮＡＣＫ若しくはＣＱＩの送信を抑制したり、基地局に対して下りパケットデータの送信量を抑制するように指令する指令信号を出力したりしても、下り又は上り通信を優先した端末及び通信システムを提供できる。
また、実施の形態１ではＥＵＤＴＣＨを用いて上りパケットデータが送信される通信システムであったが、上りデータはパケットデータに限らないことはいうまでもない。
また、上りデータを送信するチャネルがＵｐｌｉｎｋ  Ｅｎｈａｎｃｅｍｅｎｔと呼ばれる通信規格で定められるＥＵＤＴＣＨであるかＲ９９と呼ばれる通信規格で定められるＤＴＣＨであるかは特に発明の範囲に影響を与えるものではない。
実施の形態３．
実施の形態３の端末は、実施の形態１の端末と異なり、下りパケットデータに関する情報信号（ＡＣＫ／ＮＡＣＫ、ＣＱＩ）を送信しないことを示す選択中のＴＦＣＩ信号を送信することによって、上り通信を優先していることを基地局に通知していることを特徴とする。
以上の通知を行うために、第１１図に示すＴＦＣＩテーブルのように、端末は、下りパケットデータに関する情報信号の送信に用いるチャネルを使用するか否かを示す情報を含んだＴＦＣＩを基地局に送信する。
基地局が端末からＨＳ−ＤＰＣＣＨを用いないことを受信できれば、基地局はその受信内容に応じてＡＣＫ／ＮＡＣＫやＣＱＩの送信がないことを認識できる。ＡＣＫ／ＮＡＣＫやＣＱＩの送信がないことを認識することによって、下りパケットデータに対するＡＣＫ／ＮＡＣＫを受信できなければ再度同一の下りパケットデータを再送する基地局であっても、下りパケットデータの再送が防止され、下りパケット通信の遅延を防ぐことができる。
また、現行のＷ−ＣＤＭＡ方式を用いた端末は必ず基地局にＴＦＣＩを通知している。
したがって、ＨＳ−ＤＰＣＣＨを用いるか否か示す情報をＴＦＣＩとして基地局に通知すれば、現行のＷ−ＣＤＭＡ方式の通信システムで用いるシグナリングの数を増やさずに、Ｗ−ＣＤＭＡ方式に基づく下りパケット通信の遅延を防止できる。
なお、ＨＳ−ＤＰＣＣＨを用いるか否かを示す情報をＴＦＣＩとして送信するには、基地局及び端末で用いるＴＦＣＩのフォーマットをＨＳ−ＤＰＣＣＨの送信有無も示すものに拡張しておけば良い。
さらに、現行のＷ−ＣＤＭＡ方式を用いた端末は、フレーム毎にＴＦＣＩテーブルの内容を基地局に通知している。したがって、上記のようにＨＳ−ＤＰＣＣＨを用いるか否かを示す情報をＴＦＣＩとして基地局に通知すれば、短期間でＨＳ−ＤＰＣＣＨの使用有無が変化する場合であっても、有効に基地局へ通知を行うことができる。また、ＨＳ−ＤＰＣＣＨを使用しないことは上り通信を優先していることと等しいので、端末が上り通信を優先していることもフレーム毎に基地局へ通知することができる。したがって、基地局で上り優先または下り優先に応じた動作を行う場合に、基地局の動作をきめ細やかにできる。
実施の形態４．
実施の形態１に係る端末では、第８図で示すＡＣＫ／ＮＡＣＫ送信中止処理（Ｓ３２５）を実行することによってＡＣＫ／ＮＡＣＫやＣＱＩの送信を中止して上りパケットデータの送信を優先したものであったが、この実施の形態４に係る端末では、第１２図（ａ）で示すＴＦＣＩテーブルの中から使用するＴＦＣＩを選択することによって、ＡＣＫ／ＮＡＣＫやＣＱＩの送信を中止する点に特徴を有する。
このような端末によっても、実施の形態１と同様、上り通信を優先した通信を行う端末を提供できる。
なお、この端末では、第８図のステップＳ３２５の動作を行わずにＴＦＣＩの選択が行われる。その他の動作については同様であるので説明を省略する。
ＴＦＣＩの選択は、まず、端末が選択できる範囲が決定される。ここでは、例としてＴＦＣ番号＃９〜１２は制限されていてＴＦＣ番号＃０〜８が選択できる範囲と決定されることにする。
続いて選択できる範囲（＃０〜８）の中で、優先度の高いチャネル（ＴｒＣＨ１）で使用できる最大送信レートのＴＦＣ番号（＃８、＃７、＃４、＃２）が選択される。
続いて、選択されたＴＦＣ番号が複数ある場合は、次に優先度の高いチャネル（ＴｒＣＨ２）で使用できる最大送信レートのＴＦＣ番号（＃７、＃８）が選択される。
続いて、選択されたＴＦＣ番号が複数有る場合は、次に優先度の高いチャネル（ＨＳ−ＤＰＣＣＨ）で使用できる最大送信レートのＴＦＣ番号（＃８）が選択される。以上のように、ＴｒＣＨ１、２を送信したとしてもなお、ＨＳ−ＤＰＣＣＨを送信できる場合は、ＨＳ−ＤＰＣＣＨが送信される。
一方、端末が選択できるＴＦＣ番号が＃０〜＃７に制限されているような場合、ＴＦＣＩ選択動作として、まず、優先度の高いチャネル（ＴｒＣＨ１）で使用できる最大送信レートのＴＦＣ番号として＃７、＃４、＃２が選択される。
次に、選択されたＴＦＣ番号の中から次に優先度の高いチャネル（ＨＳ−ＤＰＣＣＨ）で使用できる最大送信レートのＴＦＣ番号（＃７）が選択される。
したがって、ＴｒＣＨ１、２が優先的に送信電力を確保し、ＨＳ−ＤＰＣＣＨの送信は制限されている。
以上のように、低い送信レートで下りパケットデータに関する情報信号（ＡＣＫ／ＮＡＣＫ、ＣＱＩ）を送信するＴＦＣＩを選択することによって、上記情報信号の送信電力を抑制する端末であっても、実施の形態１と同様に、オーバーフローを回避し、上り通信を優先することができる。
また、下りパケットデータに関する情報信号（ＡＣＫ／ＮＡＣＫ、ＣＱＩ）を送信しないＴＦＣＩを選択することによって、上記情報信号の送信電力を抑制する端末であっても、実施の形態１と同様に、オーバーフローを回避し、上り通信を優先することができる。
なお、実施の形態４の端末においても、実施の形態１と同様、端末から送信するＨＳ−ＤＰＣＣＨを抑制するか否かを、上りデータを送信する度に変更することができるので、ＨＳ−ＤＰＣＣＨの送信を不必要に犠牲にしないで通信することができる。したがって、特に突発的にオーバーフローが発生する場合に有効である。
実施の形態５．
実施の形態１に係る端末では第９図に示すＴＦＣＩテーブルを用いていたが、第１３図に示すＴＦＣＩテーブルを用いても実施の形態１に示す端末と同様の動作をすることができる。
ステップＳ２１１の、ＡＣＫ／ＮＡＣＫ（ＣＱＩ）を送信した場合に残っている電力から上りデータのために使っても良いＴＦＣＩテーブルの範囲を制限するという動作は、最も優先度の高いチャネルであるＨＳ−ＤＰＣＣＨを送信できるＴＦＣ番号を選択し、選択されたＴＦＣ番号の中から、次に優先度の高いチャネルの送信レートが最大になるＴＦＣ番号を選択する動作に等しい。
以上のようにＴＦＣＩを選択したとしても、実施の形態１と同様の効果を得ることができる。
【図１】
2005015940.tif 000003
【図２】
2005015940.tif 000004
【図３】
2005015940.tif 000005
【図４】
2005015940.tif 000006
【図５】
2005015940.tif 000007
【図６】
2005015940.tif 000008
【図７】
2005015940.tif 000009
【図８】
2005015940.tif 000010
【図９】
2005015940.tif 000011
【図１０】
2005015940.tif 000012
【図１１】
2005015940.tif 000013
【図１２】
2005015940.tif 000014
【図１３】
2005015940.tif 000015
【国際調査報告】
2005015940.tif 000016
2005015940.tif 000017
2005015940.tif 000018